(57)【要約】【課題】  動画記録中の静止画記録機能を有する撮像装置において、静止画記録に伴う動画記録の中断時間を短縮するとともに、静止画記録用のＡＦ制御が動画に与える影響を抑制すること。【解決手段】  動画記録中に静止画記録の準備処理開始指示が検出された場合、動画記録を継続したまま静止画記録用オートフォーカス制御処理を行い、動画記録中に静止画記録処理の開始指示が検出された場合にのみ動画記録を中断して静止画記録処理を行う。また、動画記録中静止記録用オートフォーカス制御では、通常の静止画記録時に行うオートフォーカス制御よりも狭い距離範囲で合焦検出を行う。【選択図】  図１
2006325194.tif 000002
【特許請求の範囲】
【請求項１】
動画記録中の静止画記録機能を有する撮像装置であって、
動画記録中に静止画記録の準備処理開始指示が検出された場合、動画記録を継続したまま静止画記録用自動露出制御処理を行う自動露出制御手段と、
静止画記録の準備処理開始指示後に静止画記録処理の開始指示があった場合、静止画記録処理を行う静止画記録手段とを有し、
前記自動露出制御手段が、前記静止画記録の準備処理開始指示があった際の絞り値を最小絞り値として露出制御を行うことを特徴とする撮像装置。
【請求項２】
前記自動露出制御手段が、前記準備処理開始指示が検出された際の絞り値と、限界シャッター速度とによって、露出プログラムを組み替え、組み替えた露出プログラムに基づいて露出制御を行うことを特徴とする請求項１記載の撮像装置。
【請求項３】
動画記録中に前記静止画記録の準備処理開始指示があった場合、動画記録を継続したまま静止画記録用オートフォーカス制御処理を行うオートフォーカス制御手段をさらに有し、
前記オートフォーカス制御手段が、前記静止画記録の準備処理開始指示があった際、動画記録中でない静止画記録の際に行うオートフォーカス制御よりも狭い距離範囲で合焦検出を行うことを特徴とする請求項１又は請求項２記載の撮像装置。
【請求項４】
前記静止画記録手段は、準備処理開始指示後に静止画記録処理の開始指示があった場合、前記動画記録を中断して静止画記録処理を行うことを特徴とする請求項１乃至請求項３のいずれか１項に記載の撮像装置。
【請求項５】
動画記録中の静止画記録機能を有する撮像装置の制御方法であって、
動画記録中に静止画記録の準備処理開始指示があった場合、動画記録を継続したまま静止画記録用自動露出制御処理を行う自動露出制御ステップと、
静止画記録の準備処理開始指示後に静止画記録処理の開始指示があった場合、静止画記録処理を行う静止画記録ステップとを有し、
前記自動露出制御ステップでは、前記静止画記録の準備処理開始指示があった際の絞り値を最小絞り値として露出制御を行うことを特徴とする撮像装置の制御方法。
【発明の詳細な説明】
【技術分野】
【０００１】
本発明は、動画記録中に静止画記録が可能な撮像装置およびその制御方法に関する。
【背景技術】
【０００２】
ＣＣＤ等の個体撮像素子を用いた撮像装置の技術進歩、及び半導体メモリカードの大容量化及び低価格化により、近年では静止画撮影機能付きのデジタルビデオカメラ、動画撮影機能付きのデジタルスチルカメラが一般的である。
【０００３】
また、動画撮影モードと、静止画撮影モードとを選択可能とし、選択したモードで動画もしくは静止画のいずれかを撮影可能とするだけでなく、動画撮影中にモードを切り替えることなく静止画撮影が可能な撮像装置も登場している。
【０００４】
しかしながら、通常動画撮影には３０フレーム／秒の処理速度が要求されること、個々のフレーム画像を静止画として鑑賞することは想定していないため、静止画撮影時よりも低い解像度で撮影を行うのが一般的である。また、合焦精度よりも動く被写体への追従性を重視したオートフォーカス制御が行われている。
【０００５】
そのため、動画撮影中に静止画を撮影する場合に、動画撮影時と同じオートフォーカス制御を適用した場合には、ピントがあまい画像となってしまう場合が多くなるため、静止画撮影用のオートフォーカス制御を行うことが好ましい。
【０００６】
動画撮影中に静止画撮影処理を行う場合、２つの処理を完全に並行に実施することは困難であり、実際には動画記録が中断することになる。そのため、従来、静止画撮影処理による動画記録の中断時間をできるだけ短縮したり、中断期間用に他のフレームから画像を生成して再生時の不自然さを抑制したりする提案がなされている。
【０００７】
例えば特許文献１では、動画記録の中断時間を短縮するための手法が提案されている。具体的には、静止画撮影用のシャッターボタンが半押しされ、オートフォーカス制御や自動露出制御などが実行されても、最終的にシャッターボタンが全押しされるまでは動画記録を継続するというものである。
【０００８】
【特許文献１】特開２００４−２０１２８２号公報（第４の実施形態。段落０１２０〜０１３０）
【発明の開示】
【発明が解決しようとする課題】
【０００９】
特許文献１で提案される方法によれば、実際の撮影が行われるまで動画記録が中断しないため、シャッターボタンの半押し時に直ちに動画記録を中断する場合と比較して動画記録の中断時間を短縮することができる。しかし、シャッターボタンの半押し時に静止画撮影用として行われるオートフォーカス（ＡＦ）制御及び自動露出（ＡＥ）制御が、継続記録されている動画に影響を与えてしまうという問題がある。
【００１０】
すなわち、静止画撮影時のＡＦ制御は、フォーカスレンズが近端側と遠端側との間を全域スキャンしながら合焦位置を決定するのが一般的である。従って、このＡＦ制御に伴うフォーカスレンズ駆動中に得られる画像が継続記録される動画に含まれることになる。そのため、撮影者が何度もシャッターボタンの半押しと開放とを繰り返しながら所望の撮影位置や撮影範囲を決定した場合、シャッターボタンが半押しされる毎にピントがぼけた動画像が記録されることになり、再生時に見苦しいという問題があった。
【００１１】
本発明はこのような従来技術の課題に鑑みてなされたものであり、動画記録中に静止画記録可能な撮像装置及びその制御方法において、静止画記録に伴う動画記録の中断時間を短縮するとともに、静止画記録用のＡＦ制御が動画に与える影響を抑制することを可能とする撮像装置及びその制御方法を提供することを目的とする。
【課題を解決するための手段】
【００１２】
この目的は、動画記録中の静止画記録機能を有する撮像装置であって、動画記録中に静止画記録の準備処理開始指示が検出された場合、動画記録を継続したまま静止画記録用自動露出制御処理を行う自動露出制御手段と、静止画記録の準備処理開始指示後に静止画記録処理の開始指示があった場合、静止画記録処理を行う静止画記録手段とを有し、自動露出制御手段が、静止画記録の準備処理開始指示があった際の絞り値を最小絞り値として露出制御を行うことを特徴とする撮像装置によっても達成される。
【００１３】
また、上述の目的は、動画記録中の静止画記録機能を有する撮像装置の制御方法であって、動画記録中に静止画記録の準備処理開始指示があった場合、動画記録を継続したまま静止画記録用自動露出制御処理を行う自動露出制御ステップと、静止画記録の準備処理開始指示後に静止画記録処理の開始指示があった場合、静止画記録処理を行う静止画記録ステップとを有し、自動露出制御ステップでは、静止画記録の準備処理開始指示があった際の絞り値を最小絞り値として露出制御を行うことを特徴とする撮像装置の制御方法によっても達成される。
【発明の効果】
【００１４】
このような構成により、本発明によれば、静止画記録に伴う動画記録の中断時間を短縮するとともに、静止画記録用のＡＦ制御が動画に与える影響を抑制することができる。
【発明を実施するための最良の形態】
【００１５】
以下、図面を参照して、本発明をその好ましい実施形態に基づき詳細に説明する。
図２は、本発明の実施形態に係る撮像装置としてのデジタルスチルカメラの構成例を示すブロック図である。なお、図２においては、デジタルスチルカメラが有する構成のうち、動画記録中静止画記録の処理に係る構成のみを示している。
【００１６】
同図において、１００はレンズ、１０１はレンズ１００の駆動モータ、１０２は、駆動モータ１０１を制御するレンズ駆動部、１０３は絞り、１０４は絞り１０３の制御モータ、１０５は、駆動モータ１０３を制御する絞り制御部である。撮像素子駆動部１１１は、ＣＣＤセンサやＣＭＯＳセンサなどの撮像素子１１０における電荷の蓄積時間を制御する電子シャッターを制御する。また、撮像素子１１０を静止画撮影モードや動画撮影モードや例えば電子ビューファインダ（ＥＶＦ）などといった動画表示モードなどの各種駆動モードに応じて制御する。なお、撮像素子１１０やその後段で行う信号処理の形態によっては、動画撮影モードと動画表示モードの実態は同一の場合もある。
【００１７】
１１２は撮像素子から出力される信号のゲインを変化させるＡＧＣなどの信号増幅回路、１１３はＡ／Ｄ変換、ホワイトバランス処理、色生成処理、圧縮符号化処理などを行う信号処理部である。画像表示部１１４は、代表的にはＬＣＤや有機ＥＬディスプレイ等の平面カラーディスプレイ装置を備え、信号処理部１１３において処理された画像を表示する。画像表示部１１４は、電子ビューファインダー（EVF）や再生時のディスプレイ、各種設定時におけるＧＵＩ表示用ディスプレイとして用いられる。ＣＰＵ１３０は、例えばメモリ１４０、記録装置１４１や図示しない不揮発性メモリに記憶された制御プログラムを実行することによりカメラ全体を制御する。
【００１８】
後述する記録時の動作制御も、ＣＰＵ１３０が主体となり他の構成要素を制御することにより実現される。なお、信号処理部１１３の少なくとも一部は、ＣＰＵ１３０と制御ソフトウェアの組み合わせにより実現しても良い。
【００１９】
ＳＷ１（１２０）、ＳＷ２（１２１）はシャッターボタンの押下に伴ってオンオフするスイッチであり、本実施形態では半押し状態でＳＷ１（１２０）がオンし、全押し状態でＳＷ２（１２１）がオンするものとする。そして、ＳＷ１（１２０）のオンは、静止画記録の準備処理開始指示、ＳＷ２（１２１）のオンは、静止画記録処理の開始指示として用いられる。
【００２０】
メモリ１４０は例えばＲＡＭであり、各種データや信号処理部１１３が処理した動画像や静止画像を一時的に格納する。メモリ１４０の少なくとも一部が不揮発性ＲＡＭであってもよい。また、メモリ１４０はＣＰＵ１３０のワークエリアとしても用いられる。
【００２１】
記憶装置１４１は、ハードディスクドライブや光ディスクドライブ、半導体メモリカードリーダライタなどであり、カメラから脱着可能な記憶媒体を用いる形態や、本体に内蔵される形態や、これらを組み合わせた形態を取りうる。また、通信カードなどのようにそれ自体は記憶を行わず、データ記憶可能な外部装置へデータを出力する形態であっても良い。
【００２２】
操作部１４２は、動画記録の開始、停止を指示するボタンや、ズームレバー（レンズ１００がズームレンズの場合）、カーソルキー、選択／実行キーなどユーザがカメラに対して各種指示や設定を行うためのキーを含む。また、シャッターボタンも操作部１４２の一部を構成する。
【００２３】
このような構成を有するカメラにおいて、レンズ１００を通過した光は、撮像素子１１０で電気信号に変換され、信号増幅回路１１２を経由して信号処理部１１３に入力される。信号処理部１１３では、画像信号の輝度信号や色信号や先鋭度といったデータ等を抽出し、これらをもとに、自動露出（ＡＥ）制御や自動ホワイトバランス（ＡＷＢ）制御やオートフォーカス（ＡＦ）制御を行う。
【００２４】
露出制御については、ＣＰＵ１３０から行われる。
まず絞りの制御だが、ＣＰＵ１３０から、絞り値（以下Ａｖ）を絞り制御部１０５に与えることにより、絞り制御部１０５が駆動モータ１０４を制御し、絞り１０３を絞り値に応じて開閉する。
【００２５】
電子シャッター速度の制御は、ＣＰＵ１３０から、電子シャッター速度（以下Ｔｖ）を撮像素子制御部１１１に与え、撮像素子制御部１１１が電子シャッター速度を制御することにより実現する。電子シャッター速度を変化させることで、撮像素子１１０に蓄積される電荷の量が制御される。
【００２６】
信号増幅回路１１２のゲインは、ＣＰＵ１３０から、ゲイン量（以下Ｇａｉｎ）を与えることにより制御する。最近では、この信号増幅回路１１２にＡＤコンバーターが内蔵されたものが多く見受けられ、この場合、ＡＤ変換は信号処理部１１３ではなく、信号増幅回路１１２で実施されることになる。
【００２７】
また、オートフォーカス制御では、レンズ１００に含まれるフォーカスレンズの位置をレンズ制御部１０２とレンズ駆動モータ１０１とにより所定範囲で移動させながら、信号処理部１１３に入力される信号を計測する。そして、撮像素子１１０から得られる輝度信号の高域成分が最大になるレンズ位置を合焦位置として探索する。
【００２８】
また、自動露出制御は、信号処理部１１３に入力される画像信号から、そのときの輝度信号レベルを示す輝度レベル信号を抽出し、その輝度レベル信号が所定値になるよう、絞り・シャッター速度・ゲインを制御することにより行われる。
【００２９】
撮像素子１０７からの信号に基づいて信号処理部１１３はカラー画像データを生成し、このカラー画像を画像処理部１１４に連続的に表示することにより画像表示部１１４を電子ビューファインダーとして機能させる。また、信号処理部１１３はカラー画像を圧縮符号化したり、ビデオ出力に適した形式に変換して出力したりする。
圧縮符号化された画像はメモリ１４０に一時的に保存され、その後記憶装置１４１に書き込まれる。
【００３０】
なお、撮像素子１１０の画素数もしくは画像処理部１１３が生成する画像データ量が多い場合には、信号処理部１１３に内蔵しているメモリ（図示せず）やＣＰＵ１３０が内蔵しているメモリ（図示せず）を活用することができる。また、信号処理の速度を調整してメモリ１４０を介さずに直接記憶装置１４１や画像表示部１１４へ出力することもある。
【００３１】
（動画記録処理）
次に、本実施形態のカメラにおける動画記録処理について、図１に示すフローチャートを用いて説明する。
まずはじめに、例えば操作部１４２からの動画記録開始指示に応答して動画記録を開始する（Ｓ１００）。
【００３２】
次に、動画停止操作がなされたかどうかを検出し（Ｓ１０１）、停止操作が検出された場合には、動画記録を終了させる。
また、動画記録中に、シャッターボタンが半押しされたかどうかを、ＳＷ１（１２０）の状態によりチェックする（Ｓ１０２）。ＳＷ１（１２０）がＯＮになった場合には、Ｓ２００へ進んで静止画記録準備に入り、そうでない場合にはＳ１０１へ戻る。
【００３３】
ＳＷ１（１２０）のオンが検出されると、動画記録を継続しながら、静止画記録用のＡＦ制御処理を行う（Ｓ３００）。
動画記録中静止画記録用ＡＦ制御処理では、通常の静止画記録モードで行うＡＦ制御よりも狭いスキャン範囲（被写体距離範囲）で合焦検出を行う。上述したように、通常静止画記録モードにおいては、最近端から無限遠までの全範囲に渡ってフォーカスレンズを駆動するフルスキャンを行っていた。それに対し、本実施形態において、動画記録中にシャッターボタンが半押しされて静止画記録用ＡＦ制御を行う場合には、通常静止画記録モードよりも狭い範囲でフォーカスレンズを駆動する。
【００３４】
これにより、フルスキャンを行う場合よりもピントの合わない画像を記録する時間が短縮され、継続記録される動画への影響を抑制することができる。原則として通常静止画記録モードでのフォーカスレンズ駆動範囲よりも狭い範囲で駆動すれば本発明の効果は達成できるが、より具体的な制御内容の例について説明する。
【００３５】
ステップＳ３００における動画記録中静止画記録用ＡＦ処理の第１の例について、図８に示すフローチャートを用いて更に説明する。
【００３６】
まず、動画記録中におけるオートフォーカス制御について説明する。動画記録中のオートフォーカス制御には大きく分けて、微小駆動ＡＦモード・山登りＡＦモード・レンズ停止がある。
【００３７】
微小駆動ＡＦモードとは、フォーカスレンズを微小距離移動し、移動前の位置と現在の位置でのＡＦ評価値を比較することで、合焦判別・合焦位置の方向判別・短距離のピント調整を行う動作モードである。
【００３８】
具体的には、フォーカスレンズ移動前後のＡＦ評価値を比較した結果、ＡＦ評価値が増加していれば同一方向に駆動し、減少していれば逆方向に駆動することで、微小範囲での調整を繰り返すモードである。同一方向に所定回数連続して移動していれば、被写体が移動した等の理由により距離が大幅に変化したと見なし、山登りＡＦモードに遷移する。
【００３９】
一方、所定時間連続して同一とみなせるエリア（動画用の所定の焦点深度内）で反転（ウォブリング）を繰り返している場合は、合焦しているものと判断し、ＡＦ評価値のピーク位置にフォーカスレンズを移動してレンズ停止に遷移する。
【００４０】
このような動画記録中のオートフォーカス制御が行われている場合に、ＳＷ１（１２０）がオンとなったとする。すると、ＣＰＵ１３０は、ＳＷ１がオンになった時点における絞り１０３の値Ａｖ、レンズ１００のズーム位置（レンズ焦点距離ｆ）及びフォーカスレンズ位置を、絞り制御部１０５及びレンズ制御部１０２から取得する。
【００４１】
そして、絞り値Ａｖと、予め定められた動画記録時の許容最小錯乱円δの直径から、現在の撮影条件における焦点深度を算出する（Ｓ３０２）。そして、現在のフォーカスレンズ位置を基準として、算出した焦点深度内をフォーカスレンズの駆動範囲とした静止画用ＡＦ制御を行う（Ｓ３０３）。
【００４２】
焦点深度範囲内ではピントがあっているように観察されるから、この範囲内でフォーカスレンズを駆動したＡＦ制御を行っても、記録中の動画には影響がない。このように、動画記録中静止画記録用ＡＦにおけるフォーカスレンズ駆動範囲を、動画記録時の合焦深度内とすれば、動画記録中静止画記録用ＡＦ処理が記録中の動画へ与える影響は理論上存在しないことになる。
【００４３】
あるいは、Ｓ３０３において、現在のフォーカスレンズ位置を基準として、±焦点深度の範囲とすることもできる。この場合、若干は現在の焦点深度から外れた部分までフォーカスレンズを駆動することになる。しかし、依然としてフルスキャンよりは十分に狭い領域であり、かつ現在動画撮影において合焦と見なされている近辺でのＡＦ制御であるため、記録中の動画に対して与える影響は実質的に無視できる程度に過ぎない。
【００４４】
Ｓ３０３でのフォーカスレンズ駆動範囲は、フルスキャンよりも狭い範囲で、動画への影響がどこまで許容されるか、動画と静止画との解像度などに応じて適宜定めることができる。
【００４５】
このように、本実施形態では、
静止画モードでのＡＦスキャン範囲＞動画記録中静止画記録用ＡＦスキャン範囲＞動画モードのＡＦスキャン範囲
となるようにＡＦスキャン範囲を設定している。
【００４６】
図１に戻り、Ｓ１０３では、ＳＷ２（１２１）がオンされる前にＳＷ１（１２０）がオフされた場合（シャッターボタンが元に戻された場合）には、Ｓ１０１へ戻る。そして、依然としてＳＷ１（１２０）がオンである場合には、シャッターボタンが全押しされたかどうか（ＳＷ２（１２１）がオンとなったかどうか）を調べる（Ｓ１０４）。ＳＷ２（１２１）がオンされなければＳ１０３へ戻る。
【００４７】
一方、ＳＷ２（１２１）がオンされた場合に動画記録を中断し（Ｓ１０５）、撮像素子の駆動モードを静止画記録モードに切り替える（Ｓ１０６）。そして、静止画記録用のための露出変更やフォーカス位置微調整などの静止画記録設定を行う（Ｓ１０７）。撮像素子によっては、Ｓ１０６とＳ１０７の順序が逆転する場合もある。
【００４８】
その後、静止画記録処理を行い（Ｓ１０８）、撮像素子から露光画像を読み出した後、撮像素子の駆動モードを動画モードに戻し（Ｓ１０９）、動画記録を再開する（Ｓ１１０）。
【００４９】
本実施形態におけるカメラの、シャッターボタンの状態と記録動作との関係について、図３及び図４を用いて説明する。
同じシャッターボタン操作を行った場合の動作の相違が明確になるよう、ＳＷ１（１２０）がオンになる度に動画記録を中断する従来のカメラにおける動作（図３）と、本実施形態によるカメラにおける動作（図４）とを示している。
【００５０】
図３に示す従来のカメラでは、ＳＷ１をオンすると動画記録を停止し、その後、静止画記録用ＡＦ制御を行い、ＳＷ２がオンされるまで、たとえばＥＶＦ表示を行う。その後、ＳＷ２がオンされると静止画撮影、記録処理を行う。そしてＳＷ２がオフされ、続いてＳＷ１がオフされると、動画記録を再開する。このように、ＳＷ１がオンされてから、ＳＷ１がオフされるまで、動画記録は停止されることになる。
【００５１】
一方、本実施形態では、ＳＷ１がオンされた際に動画記録中静止画記録用ＡＦ処理を行うが、ＳＷ２がオンされるまでは動画記録を中断しないため、動画記録の中断期間が大幅に短縮されていることが分かる。
【００５２】
さらに、ＳＷ１のオンとオフが繰り返された場合についての動作を図５及び図６に示す。図５は、図３と同様の制御を行った場合、図６は本実施形態による制御を行った場合である。
【００５３】
図５に示す従来例では、ＳＷ１がオンされると動画記録を停止し、静止画用ＡＦ処理を行い、ＥＶＦ表示を行い静止画撮影の待機状態になる。そのままＳＷ２がオンされずにＳＷ１がオフされると、動画記録を再開する。その後、再度、ＳＷ１がオンされたため、同様の処理を行い静止画撮影待機状態となる。このように、本撮影が行われず、シャッターボタンの半押しと解除が繰り返し行われた場合、連続性の乏しい動画が記録されてしまうことになる。
【００５４】
これに対し、本実施形態では、図６に示すように、ＳＷ２がオンされるまで動画記録を停止させないため、動画記録が停止することは無い。
【００５５】
以上説明したように、本実施形態によれば、動画記録中の静止画記録が可能な撮像装置において、動画記録中における静止画記録用のオートフォーカス制御中も並行して動画記録を継続するため、動画記録の中断を極力短くすることができる。また、動画記録中の静止画記録のオートフォーカス制御におけるフォーカスレンズ駆動範囲を、通常の静止画記録時に行うオートフォーカス制御におけるフォーカスレンズ駆動範囲よりも狭くしている。このため、並行記録されている動画への影響を抑制することが可能となる。
【００５６】
＜ＡＥ処理＞
次に、動画記録中の静止画記録用ＡＥ処理について説明する。
図７は、本実施形態に係るカメラの動画記録処理を説明するフローチャートである。図１と同じ処理を行うステップには同じ参照数字を付し、説明を省略する。ここでは、動画記録中静止画記録用ＡＦ処理の前に動画記録中静止画記録用ＡＥ処理（Ｓ２００）を行う点で図１と異なる。なお、撮影のシーケンスによっては、動画記録中静止画記録用ＡＦの後や、並行して行うことも考えられる。
【００５７】
図９は、図７のＳ２００で行うＡＥ処理の詳細を説明するフローチャートである。
まず、ＣＰＵ１３０は、絞り制御部１０５から、現在の絞り値Ａｖを取得する。そして、以後行うＡＥ処理における最小絞り値として、この絞り値Ａｖを設定、記憶する（Ｓ２０１）。
【００５８】
次に、限界シヤッター速度Ｔｖを求め（Ｓ２０２）、最小絞り値Ａｖと限界シャッター速度Ｔｖとの関係から、露出プログラムとしてのプログラム線図の組み替えを行う（Ｓ２０３）。これによりＳＷ１押下の際よりも絞りが開かないように制御する。そして、組み替えたプログラム線図を用いて露出制御を行う（Ｓ２０４）。なお、ここで露出プログラムとは、絞り値、シャッタースピード、ゲインなどの露出を制御する各パラメータの値を測光値に応じて規定したプログラムである。
【００５９】
このように、本実施形態によれば、動画記録中静止画記録用ＡＥ処理において、絞りが現在の値よりも開放側に移動しないようにＡＥ制御を行う。そのため、焦点深度が浅くならず、動画記録中静止画記録用ＡＦ処理が動画へ影響を与える可能性を低減することが可能である。
また、上述したＡＦ制御、ＡＥ制御を並行して行うようにすることで、動画記録中静止画記録があっても、動画記録、静止画記録ともに適切に行うことができる。
【００６０】
（他の実施形態）
尚、前述した実施形態の機能を実現するソフトウェアのプログラムを、記録媒体から直接、或いは有線／無線通信を用いて当該プログラムを実行可能なコンピュータを有する撮像装置に供給し、その撮像装置が該供給されたプログラムを実行することによって同等の機能が達成される場合も本発明に含む。
【００６１】
従って、本発明の機能処理を撮像装置が有するコンピュータで実現するために、該コンピュータに供給、インストールされるプログラムコード自体も本発明を実現するものである。つまり、本発明の機能処理を実現するためのコンピュータプログラム自体も本発明に含まれる。
【００６２】
その場合、プログラムの機能を有していれば、オブジェクトコード、インタプリタにより実行されるプログラム、ＯＳに供給するスクリプトデータ等、プログラムの形態を問わない。
【００６３】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００６４】
有線／無線通信を用いたプログラムの供給方法としては、撮像装置がコンピュータネットワークとの接続機能を有する場合には、コンピュータネットワーク上のサーバに本発明を形成するコンピュータプログラムそのもの、もしくは圧縮され自動インストール機能を含むファイル等、実施装置で本発明を形成するコンピュータプログラムとなりうるデータファイル（プログラムデータファイル）を記憶し、接続のあった実施装置にプログラムデータファイルをダウンロードする方法などが挙げられる。この場合、プログラムデータファイルを複数のセグメントファイルに分割し、セグメントファイルを異なるサーバに配置することも可能である。
【００６５】
また、実施装置と外部コンピュータとを直接接続し、外部コンピュータから実施装置内の不揮発性メモリに本発明を構成するソフトウェアプログラムをダウンロードさせる様にしても良い。
【図面の簡単な説明】
【００６６】
【図１】本発明の実施形態に係る撮像装置における動画記録動作を説明するフローチャートである。
【図２】本発明の実施形態に係る撮像装置の構成例を示すブロック図である。
【図３】従来の撮像装置における動画記録中静止画記録時の動作を説明するタイミングチャートである。
【図４】本発明の実施形態に係る撮像装置における動画記録中静止画記録時の動作を説明するタイミングチャートである。
【図５】従来の撮像装置における動画記録中静止画記録時の動作を説明するタイミングチャートである。
【図６】本発明の実施形態に係る撮像装置における動画記録中静止画記録時の動作を説明するタイミングチャートである。
【図７】本発明の実施形態に係る撮像装置における動画記録動作を説明するフローチャートである。
【図８】本発明の実施形態における動画記録中静止画記録用ＡＦ処理の詳細を説明するフローチャートである。
【図９】本発明の実施形態における動画記録中静止画記録用ＡＥ処理の詳細を説明するフローチャートである。
【図１】
2006325194.tif 000003
【図２】
2006325194.tif 000004
【図３】
2006325194.tif 000005
【図４】
2006325194.tif 000006
【図５】
2006325194.tif 000007
【図６】
2006325194.tif 000008
【図７】
2006325194.tif 000009
【図８】
2006325194.tif 000010
【図９】
2006325194.tif 000011